(57)【要約】【課題】  ＡＳＤＬ電話装置を回線接続する場合に発生し易いインピーダンス不整合による電話系信号の高域利得の低下を簡便に補償すること。【解決手段】  Ａ／Ｄ変換器１２１とディジタル信号処理回路１２２との間に周波数特性補正部１２４を備え、予め装置全体の制御プログラムを格納するＲＯＭ（図示しない）に格納されている所定の制御プログラムを、装置全体を制御するＣＰＵ（図示しない）が、実行することによって機能させる。【選択図】        図１
2007088876.tif 000002
【特許請求の範囲】
【請求項１】
ＤＳＬ（Ｄｉｇｉｔａｌ  Ｓｕｂｓｃｒｉｂｅｒ  Ｌｉｎｅ）環境における電話装置であって、
電話系受信信号のアナログ／ディジタル変換処理手段と、ディジタル信号処理手段との間に周波数特性補正部を備えることを特徴とする電話装置。
【請求項２】
前記周波数特性補正部は、
所定の演算条件に基づいて入力信号に対する出力信号の周波数応答特性を算出する演算手段と、
前記演算条件を予め複数保持する係数保持手段と、
前記演算手段が算出した前記周波数応答特性を評価する特性評価手段と、
前記特性評価手段の評価結果に基づいて、前記係数保持手段から所定の演算条件を選択し、前記演算手段に設定する係数選択手段とを備えることを特徴とする請求項１に記載の電話装置。
【発明の詳細な説明】
【技術分野】
【０００１】
本発明は、ＤＳＬ（Ｄｉｇｉｔａｌ  Ｓｕｂｓｃｒｉｂｅｒ  Ｌｉｎｅ）環境、特にＡＤＳＬ（Ａｓｙｍｍｅｔｒｉｃ  Ｄｉｇｉｔａｌ  Ｓｕｂｓｃｒｉｂｅｒ  Ｌｉｎｅ）環境に於いて用いられる電話装置に関する。
【背景技術】
【０００２】
近年インターネットに代表されるデータ通信網が急速に拡大している。特に既存の電話回線を利用できるＡＤＳＬの普及拡大には目を見張るものがある。ＡＤＳＬとはＡｓｙｍｍｅｔｒｉｃ  Ｄｉｇｉｔａｌ  Ｓｕｂｓｃｒｉｂｅｒ  Ｌｉｎｅ（非対称ディジタル加入者線）の略であって、上りと下りの通信速度が異なることが特徴である。通常の電話回線と共用が出来、且つ、導入のための費用が安いということもあって飛躍的に普及が進んでいる。
【０００３】
図５は、従来のＡＤＳＬ電話装置の構成図である。
図に示すようにＳＤＳＬ環境における電話装置は、スプリッタ１０と、回線処理装置２０と、電話端末３０と、ＡＤＳＬモデム４０とを備える。以下に電話系信号の受信について説明する。
【０００４】
スプリッタ１０は、公衆電話回線網を使ってＡＤＳＬによるデータ通信を行う際に、電話系信号とデータ系信号とを分離する部分である。ＡＤＳＬでは、電話系信号とデータ系信号とが同じ回線中を伝送されてくるため、電話系信号と、データ系信号とを分離する必要がある。この内部にはスプリッタ用フィルタを有している。
【０００５】
図６は、スプリッタ用フィルタの構成図である。
このスプリッタ用フィルタは、電話系信号（４ＫＨｚ以下のアナログ信号）とデータ系信号（例えばインターネット用であれば、２５ＫＨｚ以上で３．５ＭＨｚ以下の複数の搬送波からなるアナログ信号）とを分離するフィルタである。叉、このフィルタによって、電話系信号の通過帯域の高域利得を補償している（詳細は、特許文献１参照）。
【０００６】
しかし、このスプリッタ用フィルタを介して電話装置を回線接続する場合に、両者間での材質の違いなどに起因するインピーダンス不整合が発生しやすく、電話系信号の周波数特性が不安定になりがちである。インピーダンス不整合が発生すると電話系信号の通過帯域の高域利得が低下するので、かかる場合には上記スプリッタ用フィルタを構成する回路素子を変更して電話系信号の通過帯域の高域利得を補償する必要がある。電話系信号の通過帯域の高域利得が低下すると後記回線処理装置２０において、特にナンバーディスプレイ信号等の処理において、不具合が発生し易くなるからである。
【０００７】
回線処理装置２０は、Ａ／Ｄ変換器２１と、ディジタル信号処理回路２２と、Ｄ／Ａ変換器２３とを備え、電話系信号をディジタル処理する部分である。ここでＡ／Ｄ変換器２１は、スプリッタ１０から受入れるアナログ信号をＡ／Ｄ変換してディジタル信号処理回路２２へ送出する信号変換器である。ディジタル信号処理回路２２は、電話系信号を搬送波として搬送されてくるＦＡＸ（ファクシミリ）信号や、ナンバーディスプレイ、ＤＴＭＦ（Ｄｕａｌ  Ｔｏｎｅ  Ｍｕｌｔｉ  Ｆｒｅｑｕｅｎｃｙ）信号処理等、音声以外のモデム信号を処理する回路である。Ｄ／Ａ変換器２３は、ディジタル信号処理回路２２から受入れるディジタル信号をＤ／Ａ変換して電話端末３０へ送出する信号変換器である。
【０００８】
電話端末３０は、電話機３１やＦＡＸ端末３２を有し、回線処理装置２０から電話系信号を受入れて、音声信号と画像信号とに分離し、それぞれ電話機３１やＦＡＸ端末３２から音声叉は画像として出力する部分である。
ＡＤＳＬモデム４０は、図示しないデータ送受信装置（通常はパーソナルコンピュータ）と接続して送受信信号を変復調するモデムである。
【特許文献１】特開２００１−１１９２５６号公報
【発明の開示】
【発明が解決しようとする課題】
【０００９】
解決しようとする問題点は、上記のようにスプリッタ用フィルタを介して電話装置を回線接続する場合に、両者間での材質の違いなどに起因するインピーダンス不整合が発生しやすく、インピーダンス不整合が発生すると電話系信号の通過帯域の高域利得が低下してしまうので、かかる場合には上記スプリッタ用フィルタを構成する回路素子を変更して電話系信号の通過帯域の高域利得を補償する必要があり、この処理には多大な労力と処理時間を要する点である。
【課題を解決するための手段】
【００１０】
本発明は、ＤＳＬ環境における電話装置であって、電話系受信信号のアナログ／ディジタル変換処理手段と、ディジタル信号処理手段との間に周波数特性補正部を備え（請求項１）、該周波数特性補正部は、所定の演算条件に基づいて入力信号に対する出力信号の周波数応答特性を算出する演算手段と、上記演算条件を予め複数保持する係数保持手段と、上記演算手段が算出した上記周波数応答特性を評価する特性評価手段と、上記特性評価手段の評価結果に基づいて、上記係数保持手段から所定の演算条件を選択して上記演算手段に設定する係数選択手段とを備える（請求項２）ことを主要な特徴とする。
【発明の効果】
【００１１】
電話系受信信号のアナログ／ディジタル変換処理手段と、ディジタル信号処理手段との間に周波数特性を補正する周波数特性補正部を備え、更にこの周波数特性補正手段は演算手段（ディジタルフィルタ）と、係数保持手段と、特性評価手段と、係数選択手段とを有することによって、電話装置を所定の回線に接続すると、装置全体を制御するＣＰＵが予め所定のＲＯＭに格納されている制御プログラムを実行して自動的に電話系受信信号の周波数特性を補正できるという効果を得る。
【発明を実施するための最良の形態】
【００１２】
周波数特性補正部をディジタル信号処理回路と同じディジタル信号処理用チップで実現したので、ソフトウェア的に構成可能になり、ハードウェアのコストアップなしに実現できた。
【実施例】
【００１３】
図１は、本発明によるＡＤＳＬ電話装置の構成図である。
図に示すようにＳＤＳＬ環境における本発明の電話装置２００は、スプリッタ１１０と、回線処理装置１２０と、電話端末１３０と、ＡＤＳＬモデム１４０とを備える。以下に電話系受信信号の流れに従って説明する。
【００１４】
スプリッタ１１０は、公衆電話回線網を使ってＡＤＳＬによるデータ通信を行う際に、電話系信号とデータ系信号とを分離する部分である。ＡＤＳＬでは、電話系信号とデータ系信号とが同じ回線の中を伝送されてくるため、電話系信号と、データ系信号とに分離する必要がある。この内部にはスプリッタ用フィルタを有している。このスプリッタ用フィルタの内容は、背景技術で説明済みなので再度の説明を省略する。
【００１５】
回線処理装置１２０は、Ａ／Ｄ変換器１２１と、ディジタル信号処理回路１２２と、Ｄ／Ａ変換器１２３と、周波数特性補正部１２４とを備え、電話系信号をディジタル処理する部分である。ここでＡ／Ｄ変換器１２１は、スプリッタ１１０から受入れるアナログ信号をＡ／Ｄ変換して周波数特性補正部１２４へ送出する信号変換器である。ディジタル信号処理回路１２２は、周波数特性補正部１２４から周波数特性補正された電話系信号を受入れて、電話系信号を搬送波として搬送されてくるＦＡＸ（ファクシミリ）信号や、ナンバーディスプレイ信号、ＤＴＭＦ（ｄｕａｌ  Ｔｏｎｅ  Ｍｕｌｔｉ  Ｆｒｅｑｕｅｎｃｙ）信号等、音声信号以外のモデム信号を処理する回路である。Ｄ／Ａ変換器１２３は、ディジタル信号処理回路１２２から受入れるディジタル信号をＤ／Ａ変換して電話端末１３０へ送出する信号変換器である。
０  
【００１６】
周波数特性補正部１２４は、Ａ／Ｄ変換器１２１からＡ／Ｄ変換された電話系信号を受入れて、入力信号に対する出力信号の周波数応答特性を改善（特に周波数特性の高域補正）してディジタル信号処理回路１２２へ送出する部分である。
図２は、周波数特性補正部の機能ブロック図である。
図に示すように周波数特性補正部１２４は、演算手段１２４−１と、係数保持手段１２４−２と、特性評価手段１２４−３と、係数選択手段１２４−４とを有している。
【００１７】
演算手段１２４−１は、所定の演算条件に基づいて入力信号に対する出力信号の周波数応答特性を算出するディジタルフィルタである。
このディジタルフィルタを一例としてＦＩＲディジタルフィルタで構成するものとし、入力信号をＸ（ｎＴ）、出力信号をＹ（ｎＴ）とおくと、その入出力周波数応答特性は、
【数１】
2007088876.tif 000003
として表される。１式が示すように、入出力周波数応答特性は係数（所定の演算条件）Ｈａ（ｋＴ）に基づいて特定される。
【００１８】
この演算手段１２４−１は、予め装置全体の制御プログラムを格納するＲＯＭ（図示しない）に格納されている所定の制御プログラムを、装置全体を制御するＣＰＵ（図示しない）が、実行することによって機能する手段である。
【００１９】
係数保持手段１２４−２は、上記（１式）の演算に用いられる係数Ｈａ（ｋＴ）を複数個（Ｈ１（ｋＴ）〜Ｈｍ（ｋＴ））、予め格納するＲＯＭ（図示しない）である。通常は、装置全体の制御プログラムを格納するＲＯＭ（図示しない）の一部の領域が、この目的に用いられる。この複数個（Ｈ１（ｋＴ）〜Ｈｍ（ｋＴ））の係数は、装置と回線との間で想定できるあらゆる場合に対応付けた実験結果等に基づいて予め設定され格納される。
【００２０】
特性評価手段１２４−３は、演算手段１２４−１が算出した周波数応答特性を評価する手段である。具体的には、ナンバーディスプレイ信号の受信信号帯域を測定し、予め定めてある基準特性との差異を求め、その差異が所定の範囲内であるか否かを測定しその測定結果を係数選択手段へ送出する手段である。
【００２１】
尚、図示していないが、ナンバーディスプレイ信号の送信を電話装置側から交換機に求める手段を周波数特性補正部１２４内に追加しても良い。あるいは叉、交換機から送信されてくるナンバーディスプレイ信号を監視し、該信号を受信する毎に基準特性との差異を求め、その差異が所定の範囲を超える毎に上記補正を実行するように構成しても良い。
【００２２】
この特性評価手段１２４−３は、予め装置全体の制御プログラムを格納するＲＯＭ（図示しない）に格納されている所定の制御プログラムを、装置全体を制御するＣＰＵ（図示しない）が、実行することによって機能する手段である。
【００２３】
係数選択手段１２４−４は、特性評価手段１２４−３の評価結果に基づいて係数保持手段１２４−２から所定の係数を選択して演算手段１２４−１に設定する手段である。具体的には、特性評価手段１２４−３の評価結果が所定の範囲を超えると、係数保持手段１２４−２に保持されている係数、Ｈ１（ｋＴ）〜Ｈｍ（ｋＴ）を順次変更して演算手段１２４−１に設定し、評価結果が所定の範囲内に入れば係数選択動作を終了することになる。但し、特性評価手段１２４−３に保持されている全ての係数に基づいても、評価結果が所定の範囲内に入らない場合が発生することを考慮し、評価結果を全て保持し、上記基準特性との差異が最小となる係数を選択する最小値選択手段を更に設けても良い。
【００２４】
この係数選択手段１２４−４は、予め装置全体の制御プログラムを格納するＲＯＭ（図示しない）に格納されている所定の制御プログラムを、装置全体を制御するＣＰＵ（図示しない）が、実行することによって機能する手段である。
【００２５】
図１に戻って、電話端末１３０は、電話機１３１やＦＡＸ端末１３２を有し、回線処理装置１２０から電話系信号を受入れて、音声信号と画像信号とに分離し、それぞれ電話機１３１やＦＡＸ端末１３２から音声叉は画像として出力する部分である。
ＡＤＳＬモデム１４０は、図示しないデータ送受信装置（通常はパーソナルコンピュータ）と接続して送受信信号を変復調するモデムである。
【００２６】
以下に、本発明によるＡＤＳＬ電話装置の評価結果について説明する。
図３は、初期状態における電話系信号の周波数応答特性である。
図４は、補正後における電話系信号の周波数応答特性である。
両図とも横軸に周波数［Ｈｚ］を縦軸に減衰量［ｄＢ］を表している。
尚点線はナンバーディスプレイ信号の高域周波数２１００Ｈｚを表している。
【００２７】
図３に示すように、ＡＤＳＬ電話装置を回線に接続直後は、点線丸印部分を見れば分かるように、ナンバーディスプレイ信号の高域周波数２１００Ｈｚで約２ｄＢ程減衰している。
ところが図４に示すように周波数特性補正部１２４（図１）が正常に稼動して周波数特性を補正することにより、ナンバーディスプレイ信号の高域周波数２１００Ｈｚで殆ど減衰量０ｄＢに補正されていることが分かる。
【００２８】
以上説明したように、電話系受信信号のＡ／Ｄ変換器１２１（図１）と、ディジタル信号処理回路１２２（図１）との間に周波数特性を補正する周波数特性補正部１２４（図１）を備え、更にこの周波数特性補正部１２４（図２）が演算手段（ディジタルフィルタ）１２４−１（図２）と、係数保持手段１２４−２（図２）と、特性評価手段１２４−３（図２）と、係数選択手段１２４−４（図２）とを有することによって、電話装置を所定の回線に接続すると、装置全体を制御する図示しないＣＰＵが、図示しないＲＯＭに予め格納されている制御プログラムを実行し、自動的に電話系受信信号の周波数特性を補正できるという効果を得る。その結果、ＤＴＭＦ信号やナンバーディスプレイ信号の検出などに於いて不都合が発生するのを回避することが可能になる。
【産業上の利用可能性】
【００２９】
以上の説明では、本発明を適用するデータ系信号としてインターネットを想定して説明したが本発明はこの例に限定されるものではない。例えば動画対応のデータ通信などにも適用可能である。
【図面の簡単な説明】
【００３０】
【図１】本発明によるＡＤＳＬ電話装置の構成図である。
【図２】周波数特性補正部の機能ブロック図である。
【図３】初期状態における電話系信号の周波数応答特性である。
【図４】補正後における電話系信号の周波数応答特性である。
【図５】従来のＡＤＳＬ電話装置の構成図である。
【図６】スプリッタ用フィルタの構成図である。
【符号の説明】
【００３１】
１１０    スプリッタ
１２０    回線処理装置
１２１    Ａ／Ｄ変換器
１２２    ディジタル信号処理回路
１２３    Ｄ／Ａ変換器
１２４    周波数特性補正部
１３０    電話端末
１３１    電話機
１３２    ＦＡＸ端末
１４０    ＡＤＳＬモデム
２００    電話装置
【図１】
2007088876.tif 000004
【図２】
2007088876.tif 000005
【図３】
2007088876.tif 000006
【図４】
2007088876.tif 000007
【図５】
2007088876.tif 000008
【図６】
2007088876.tif 000009